(57)【特許請求の範囲】
【請求項１】
ピンパッドと、携帯端末とを備える決済処理システムであって、
前記ピンパッドは、
表示部と、
前記携帯端末と無線通信する無線通信部と、
カードから当該カードに関するカード情報を読み取る読取部と、
前記無線通信部を介して、前記携帯端末から金額に関する金額情報を受信する金額情報受信部と、
前記金額情報受信部が受信した金額情報を前記表示部に表示する表示制御部と、
前記金額情報受信部が受信した金額情報と前記読取部が読み取ったカード情報とに基づいて決済処理を行う決済部と、
前記決済部が行った決済処理に関する決済処理情報と前記携帯端末に表示するための表示用情報とを生成する生成部と、
前記生成部が生成した前記決済処理情報を暗号化する暗号化部と、
前記生成部が生成した表示用情報と、前記暗号化部が暗号化した決済処理情報とを前記無線通信部から前記携帯端末に送信する決済処理情報送信部と、
伝票を印字する印字部と、
伝票に必要な伝票用情報を生成する伝票用情報生成部と、
前記伝票用情報生成部が生成した伝票用情報を前記無線通信部から前記携帯端末に送信する伝票用情報送信部と、
前記無線通信部を介して、前記伝票用情報に基づいて生成された印字情報を前記携帯端末から受信する印字情報受信部と、
前記印字情報受信部が受信した印字情報を前記印字部に印字させる印字制御部と、
を備え、
前記携帯端末は、
表示部と、
前記ピンパッドと無線通信するピンパッド用無線通信部と、
決済処理情報を管理する決済サーバと無線通信する決済サーバ用無線通信部と、
金額の入力を受け付ける入力部と、
前記入力部が受け付けた金額を示す金額情報を前記ピンパッド用無線通信部から前記ピンパッドに送信する金額情報送信部と、
前記ピンパッド用無線通信部を介して、前記ピンパッドから前記決済処理情報と前記表示用情報とを受信する決済処理情報受信部と、
前記決済処理情報受信部が受信した決済処理情報を前記決済サーバ用無線通信部から前記決済サーバに送信する決済処理情報送信部と、
前記決済処理情報受信部が受信した表示用情報を前記表示部に表示する表示制御部と、
前記ピンパッド用無線通信部を介して、前記ピンパッドから前記伝票用情報を受信する伝票用情報受信部と、
前記伝票用情報受信部が受信した伝票用情報に基づいて印字情報を生成する印字情報生成部と、
前記印字情報生成部が生成した印字情報を前記ピンパッド用無線通信部から前記ピンパッドに送信する印字情報送信部と、
を備える
ことを特徴とする決済処理システム。
【請求項２】
前記ピンパッドは、
前記決済サーバによる決済処理のための認証を行うか否かを判定する判定部と、
前記判定部が認証を行うと判定した場合に、認証に必要な認証用情報を生成する認証用情報生成部と、
前記認証用情報生成部が生成した認証用情報を前記携帯端末に前記無線通信部から送信する認証用情報送信部と、
前記無線通信部を介して、前記携帯端末から認証結果を受信する認証結果受信部と、
を備え、
前記決済部は、前記認証結果受信部が受信した認証結果に基づいて、前記決済処理を行い、
前記携帯端末は、
前記ピンパッド用無線通信部を介して、前記ピンパッドから前記認証用情報を受信する認証用情報受信部と、
前記認証用情報受信部が受信した認証用情報を前記決済サーバ用無線通信部から前記決済サーバに送信する認証用情報送信部と、
前記決済サーバ用無線通信部を介して、前記決済サーバから認証結果を受信する認証結果受信部と、
前記認証結果受信部が受信した認証結果を前記ピンパッド用無線通信部から前記ピンパッドに送信する認証結果送信部と、
を備える
ことを特徴とする請求項１に記載の決済処理システム。
【請求項３】
ピンパッドと、携帯端末とを備える決済処理システムにおける決済処理方法であって、
前記携帯端末が、金額の入力を受け付ける入力過程と、
前記携帯端末が、受け付けた金額を示す金額情報を前記ピンパッドに送信する金額情報送信過程と、
前記ピンパッドが、前記携帯端末から前記金額情報を受信する金額情報受信過程と、
前記ピンパッドが、前記金額情報を表示する表示制御過程と、
前記ピンパッドが、カードから当該カードに関するカード情報を読み取る読取過程と、
前記ピンパッドが、前記金額情報と前記カード情報とに基づいて決済処理を行う決済過程と、
前記ピンパッドが、決済処理に関する決済処理情報と前記携帯端末に表示するための表示用情報とを生成する生成過程と、
前記ピンパッドが、生成した前記決済処理情報を暗号化する暗号化過程と、
前記ピンパッドが、前記表示用情報と前記決済処理情報とを前記携帯端末に送信する決済処理情報送信過程と、
前記携帯端末が、前記決済処理情報と前記表示用情報とを受信する決済処理情報受信過程と、
前記携帯端末が、前記決済処理情報を決済サーバに送信する決済処理情報送信過程と、
前記携帯端末が、前記表示用情報を表示する表示制御過程と、
前記ピンパッドが、伝票に必要な伝票用情報を生成する伝票用情報生成過程と、
前記ピンパッドが、生成した伝票用情報を前記携帯端末に送信する伝票用情報送信過程と、
前記携帯端末が、前記ピンパッドから前記伝票用情報を受信する伝票用情報受信過程と、
前記携帯端末が、前記伝票用情報に基づいて印字情報を生成する印字情報生成過程と、
前記携帯端末が、生成した印字情報を前記ピンパッドに送信する印字情報送信過程と、
前記ピンパッドが、前記携帯端末から前記印字情報を受信する印字情報受信過程と、
前記ピンパッドが、伝票を印字する印字部に前記印字情報を印字させる印字制御過程と、
を有することを特徴とする決済処理方法。
【発明の詳細な説明】
【技術分野】
【０００１】
本発明は、決済処理システム及び決済処理方法に関する。
【背景技術】
【０００２】
ピンパッドと通信する携帯端末が決済サーバと無線で通信することにより、決済サーバがクレジット決済処理を行う決済処理システムが提案されている（例えば、特許文献１参照）。このような決済処理システムでは、ピンパッドと携帯端末とは、決済に関する決済処理情報を暗号化して通信する。
【先行技術文献】
【特許文献】
【０００３】
【特許文献１】特開２０１３−８０３８５号公報
【発明の概要】
【発明が解決しようとする課題】
【０００４】
しかしながら、特許文献１に記載の技術では、決済サーバで決済処理を行うため、決済サーバの負荷が大きくなる、という問題がある。特に、複数の決済取引を同時に行う場合には、その負荷が大きくなり、後続の決済処理の早期完了に影響を及ぼす可能性がある。また、携帯端末で決済処理を行う場合には、携帯端末の構成を複雑にする必要があり、汎用の携帯端末が使用できない。また、ピンパッドで決済処理を行う場合には、携帯端末において決済処理情報を表示もしくは印字するときに、ピンパッドから送信された暗号化されている決済処理情報を復号化して、使用可能な状態にしたうえで表示もしくは印字を行う必要がある。そのため、携帯端末からの情報漏えいを防ぐために携帯端末の構成を複雑化する必要がある。
【０００５】
そこで、本発明は上述の事情を鑑みてなされたものであり、携帯端末の構成を複雑化することなく、決済サーバにおける処理の負荷を低減することができる決済処理システム及び決済処理方法を提供することを目的とする。
【課題を解決するための手段】
【０００６】
本発明の幾つかの態様は、ピンパッドと、携帯端末とを備える決済処理システムであって、前記ピンパッドは、表示部と、前記携帯端末と無線通信する無線通信部と、カードから当該カードに関するカード情報を読み取る読取部と、前記無線通信部を介して、前記携帯端末から金額に関する金額情報を受信する金額情報受信部と、前記金額情報受信部が受信した金額情報を前記表示部に表示する表示制御部と、前記金額情報受信部が受信した金額情報と前記読取部が読み取ったカード情報とに基づいて決済処理を行う決済部と、前記決済部が行った決済処理に関する決済処理情報と前記携帯端末に表示するための表示用情報とを生成する生成部と、前記生成部が生成した前記決済処理情報を暗号化する暗号化部と、前記生成部が生成した表示用情報と、前記暗号化部が暗号化した決済処理情報とを前記無線通信部から前記携帯端末に送信する決済処理情報送信部と、を備え、前記携帯端末は、表示部と、前記ピンパッドと無線通信するピンパッド用無線通信部と、決済処理情報を管理する決済サーバと無線通信する決済サーバ用無線通信部と、金額の入力を受け付ける入力部と、前記入力部が受け付けた金額を示す金額情報を前記ピンパッド用無線通信部から前記ピンパッドに送信する金額情報送信部と、前記ピンパッド用無線通信部を介して、前記ピンパッドから前記決済処理情報と前記表示用情報とを受信する決済処理情報受信部と、前記決済処理情報受信部が受信した決済処理情報を前記決済サーバ用無線通信部から前記決済サーバに送信する決済処理情報送信部と、前記決済処理情報受信部が受信した表示用情報を前記表示部に表示する表示制御部と、を備えることを特徴とする決済処理システムである。
【０００７】
また、本発明の他の態様の決済処理システムにおいて、前記ピンパッドは、伝票を印字する印字部と、伝票に必要な伝票用情報を生成する伝票用情報生成部と、前記伝票用情報生成部が生成した伝票用情報を前記無線通信部から前記携帯端末に送信する伝票用情報送信部と、前記無線通信部を介して、前記伝票用情報に基づいて生成された印字情報を前記携帯端末から受信する印字情報受信部と、前記印字情報受信部が受信した印字情報を前記印字部に印字させる印字制御部と、を備え、前記携帯端末は、前記ピンパッド用無線通信部を介して、前記ピンパッドから前記伝票用情報を受信する伝票用情報受信部と、前記伝票用情報受信部が受信した伝票用情報に基づいて、印字情報を生成する印字情報生成部と、前記印字情報生成部が生成した印字情報を前記ピンパッド用無線通信部から前記ピンパッドに送信する印字情報送信部と、を備えることを特徴とする。
【０００８】
また、本発明の他の態様の決済処理システムにおいて、前記ピンパッドは、前記決済サーバによる決済処理のための認証を行うか否かを判定する判定部と、前記判定部が認証を行うと判定した場合に、認証に必要な認証用情報を生成する認証用情報生成部と、前記認証用情報生成部が生成した認証用情報を前記携帯端末に前記無線通信部から送信する認証用情報送信部と、前記無線通信部を介して、前記携帯端末から認証結果を受信する認証結果受信部と、を備え、前記決済部は、前記認証結果受信部が受信した認証結果に基づいて前記決済処理を行い、前記携帯端末は、前記ピンパッド用無線通信部を介して、前記ピンパッドから前記認証用情報を受信する認証用情報受信部と、前記認証用情報受信部が受信した認証用情報を前記決済サーバ用無線通信部から前記決済サーバに送信する認証用情報送信部と、前記決済サーバ用無線通信部を介して、前記決済サーバから認証結果を受信する認証結果受信部と、前記認証結果受信部が受信した認証結果を前記ピンパッド用無線通信部から前記ピンパッドに送信する認証結果送信部と、を備えることを特徴とする。
【０００９】
また、本発明の他の態様は、ピンパッドと、携帯端末とを備える決済処理システムにおける決済処理方法であって、前記携帯端末が、金額の入力を受け付ける入力過程と、前記携帯端末が、受け付けた金額を示す金額情報を前記ピンパッドに送信する金額情報送信過程と、前記ピンパッドが、前記携帯端末から前記金額情報を受信する金額情報受信過程と、前記ピンパッドが、前記金額情報を表示する表示制御過程と、前記ピンパッドが、カードから当該カードに関するカード情報を読み取る読取過程と、前記ピンパッドが、前記金額情報と前記カード情報とに基づいて決済処理を行う決済過程と、前記ピンパッドが、決済処理に関する決済処理情報と前記携帯端末に表示するための表示用情報とを生成する生成過程と、前記ピンパッドが、生成した前記決済処理情報を暗号化する暗号化過程と、前記ピンパッドが、前記表示用情報と前記決済処理情報とを前記携帯端末に送信する決済処理情報送信過程と、前記携帯端末が、前記決済処理情報と前記表示用情報とを受信する決済処理情報受信過程と、前記携帯端末が、前記決済処理情報を決済サーバに送信する決済処理情報送信過程と、前記携帯端末が、前記表示用情報を表示する表示制御過程と、前記ピンパッドが、伝票に必要な伝票用情報を生成する伝票用情報生成過程と、前記ピンパッドが、生成した伝票用情報を前記携帯端末に送信する伝票用情報送信過程と、前記携帯端末が、前記ピンパッドから前記伝票用情報を受信する伝票用情報受信過程と、前記携帯端末が、前記伝票用情報に基づいて印字情報を生成する印字情報生成過程と、前記携帯端末が、生成した印字情報を前記ピンパッドに送信する印字情報送信過程と、前記ピンパッドが、前記携帯端末から前記印字情報を受信する印字情報受信過程と、前記ピンパッドが、伝票を印字する印字部に前記印字情報を印字させる印字制御過程と、を有することを特徴とする決済処理方法である。
【発明の効果】
【００１０】
本発明によれば、携帯端末の構成を複雑化することなく、決済サーバにおける処理の負荷を低減することができる。
【図面の簡単な説明】
【００１１】
【図１】本発明の第１の実施形態における決済処理システムの全体構成を示す図である。
【図２】本発明の第１の実施形態における決済処理システムの動作を示すシーケンス図である。
【図３】本発明の第２の実施形態における決済処理システムの動作を示すシーケンス図である。
【発明を実施するための形態】
【００１２】
以下、本発明の実施形態について、図面を参照しながら説明する。なお、各図において同一部分には同一符号を付している。
【００１３】
［第１の実施形態］
まず、本発明の第１の実施形態について説明する。図１は、本実施形態における決済処理システムＳ１の全体構成を示す図である。決済処理システムＳ１は、クレジットカードやデビットカード、電子マネー等のカードを使って決済処理を行うシステムである。同図に示すように、決済処理システムＳ１は、ピンパッド１と、携帯端末２と、決済サーバ３とを備える。ピンパッド１と携帯端末２とは、無線ＬＡＮ（Ｌｏｃａｌ  Ａｒｅａ  Ｎｅｔｗｏｒｋ）やＢｌｕｅｔｏｏｔｈ（登録商標）等により無線通信する。また、携帯端末２と決済サーバ３とは、無線ルータ等を介してインターネット等の公衆通信網により通信する。
【００１４】
なお、同図においては、ピンパッド１及び携帯端末２を１台ずつ示しているが、これに限らず、ピンパッド１及び携帯端末２はそれぞれ１台以上あればよい。また、同図においては、ピンパッド１の台数と携帯端末２の台数とが同一の場合を示しているが、ピンパッド１の台数と携帯端末２の台数は異なっていてもよい。例えば、ピンパッド１の台数が携帯端末２の台数より少なくてもよい。
【００１５】
ピンパッド１は、ＩＣ（Ｉｎｔｅｇｒａｔｅｄ  Ｃｉｒｃｕｉｔ）カードからカードに関するカード情報を読み取るカードリーダを備えた決済端末である。携帯端末２は、スマートフォンやタブレット端末等の携帯端末である。決済サーバ３は、情報処理センタ（又は上位決済処理センタ等）に設けられたサーバ装置であり、上位決済処理センタやカード会社のサーバ装置と通信して、決済に関する決済処理情報を管理及び運用する。決済サーバ３は、携帯端末２から受信した決済処理情報を記憶する。
【００１６】
次に、ピンパッド１について説明する。ピンパッド１は、決済処理部１０１（金額情報受信部、表示制御部、決済部、生成部、暗号化部、決済処理情報送信部、伝票用情報生成部、伝票用情報送信部、印字情報受信部、印字制御部）と、プリンタ１０２（印字部）と、表示部１０３と、キーボード１０４（入力部）と、カードリーダ１０５（読取部）と、無線通信部１０６とを備える。
【００１７】
決済処理部１０１は、ＣＰＵ（Ｃｅｎｔｒａｌ  Ｐｒｏｃｅｓｓｉｎｇ  Ｕｎｉｔ）を備え、ピンパッド１を統括して制御する。例えば、決済処理部１０１は、無線通信部１０６を介して、携帯端末２から金額に関する金額情報を受信する。続いて、決済処理部１０１は、受信した金額情報を表示部１０３に表示する。また、決済処理部１０１は、受信した金額情報とカードリーダ１０５が読み取ったカード情報とキーボード１０４が入力を受け付けた暗証番号とに基づいて、カードによる決済処理を行う。続いて、決済処理部１０１は、実行した決済処理に関する決済処理情報と携帯端末２に表示するための表示用情報とを生成する。表示用情報には、会員番号や、決済処理に用いたカードのカード番号の一部や、カード会社の識別情報や、カードの決済の承認番号や、決済処理した日時や、その金額等が含まれる。なお、表示用情報に含まれる情報は、設定または指定により変更可能である。続いて、決済処理部１０１は、生成した決済処理情報を暗号化する。続いて、決済処理部１０１は、生成した表示用情報と、暗号化した決済処理情報とを無線通信部１０６から携帯端末２に送信する。また、決済処理部１０１は、決済処理情報に基づいて、伝票に必要な伝票用情報を生成する。伝票用情報には、会員番号や、決済処理に用いたカードのカード番号の一部や、カード会社の識別情報や、カードの決済の承認番号や、決済処理した日時や、その金額等が含まれる。なお、伝票用情報に含まれる情報は、設定または指定により変更可能である。続いて、決済処理部１０１は、生成した伝票用情報を無線通信部１０６から携帯端末２に送信する。続いて、決済処理部１０１は、無線通信部１０６を介して、伝票用情報に基づいて生成された印字情報を携帯端末２から受信する。そして、決済処理部１０１は、受信した印字情報の送信元の携帯端末２が、送信した伝票用情報の送信先の携帯端末２である場合にのみ、受信した印字情報をプリンタ１０２に印字させる。
【００１８】
プリンタ１０２は、伝票を印字する印字部である。表示部１０３は、ＬＣＤ（Ｌｉｑｕｉｄ  Ｃｒｙｓｔａｌ  Ｄｉｓｐｌａｙ）であり、種々の情報を表示する。キーボード１０４は、暗証番号の入力を受け付ける入力部である。カードリーダ１０５は、ＩＣカードからカード情報を読み取る読取部である。無線通信部１０６は、携帯端末２と無線通信する。
【００１９】
次に、携帯端末２について説明する。携帯端末２は、制御部２０１（金額情報送信部、決済処理情報受信部、決済処理情報送信部、表示制御部、伝票用情報受信部、印字情報生成部、印字情報送信部）と、入力部２０２と、ピンパッド用無線通信部２０３と、決済サーバ用無線通信部２０４と、記憶部２０５と、表示部２０６とを備える。
【００２０】
制御部２０１は、ＣＰＵを備え、携帯端末２を統括して制御する。例えば、制御部２０１は、入力部２０２が入力を受け付けた金額を表示部２０６に表示する。また、制御部２０１は、入力部２０２が入力を受け付けた金額を示す金額情報をピンパッド用無線通信部２０３からピンパッド１に送信する。また、制御部２０１は、ピンパッド用無線通信部２０３を介して、ピンパッド１から決済処理情報と表示用情報とを受信する。続いて、制御部２０１は、受信した決済処理情報を決済サーバ用無線通信部２０４から決済サーバ３に送信する。また、制御部２０１は、受信した表示用情報を表示部２０６に表示する。また、制御部２０１は、ピンパッド用無線通信部２０３を介して、ピンパッド１から伝票用情報を受信する。続いて、制御部２０１は、受信した伝票用情報に基づいて、伝票のフォーマット仕様に従った印字情報を生成する。続いて、制御部２０１は、生成した印字情報をピンパッド用無線通信部２０３からピンパッド１に送信する。
【００２１】
入力部２０２は、表示部２０６の表示画面上に設置されたタッチパネルや各種ボタンであり、入力を受け付ける。例えば、入力部２０２は、客が購入した商品の金額の入力を受け付ける。ピンパッド用無線通信部２０３は、ピンパッド１と無線通信する。決済サーバ用無線通信部２０４は、決済サーバ３と無線通信する。記憶部２０５は、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）を備え、種々の情報を記憶する。表示部２０６は、ＬＣＤや有機ＥＬ（Ｅｌｅｃｔｒｏ−Ｌｕｍｉｎｅｓｃｅｎｃｅ）ディスプレイであり、種々の情報を表示する。
【００２２】
次に、本実施形態による決済処理システムＳ１における動作を説明する。図２は、本実施形態における決済処理システムＳ１の動作を示すシーケンス図である。
【００２３】
（ステップＳ１０１）携帯端末２が、金額の入力を受け付ける。また、携帯端末２は、入力された金額を表示する。その後、ステップＳ１０２の処理に進む。
（ステップＳ１０２）携帯端末２は、入力された金額を含む決済処理要求（金額情報）をピンパッド１に送信する。
【００２４】
（ステップＳ１０３）ピンパッド１は、携帯端末２から決済処理要求を受信すると、受信した決済処理要求に含まれる金額を表示する。その後、ステップＳ１０４の処理に進む。
（ステップＳ１０４）ピンパッド１は、カードリーダ１０５によりＩＣカードからカード情報を読み取る。そして、カード情報に含まれる有効情報等に基づいて、ＩＣカードおよびピンパッド１において使用可能なカードであるか否かを判定する。ピンパッド１は、使用可能なカードであると判定した場合に、読み取ったカード情報と、受信した決済処理要求に含まれる金額と、キーボード１０４に入力された暗証番号とに基づいて決済処理を実行する。その後、ステップＳ１０５の処理に進む。
【００２５】
（ステップＳ１０５）ピンパッド１は、決済処理に関する決済処理情報と、携帯端末２に表示するための表示用情報とを生成する。そして、ピンパッド１は、生成した決済処理情報を暗号化する。その後、ピンパッド１は、暗号化した決済処理情報と生成した表示用情報とを携帯端末２に送信する。
【００２６】
（ステップＳ１０６）携帯端末２は、ピンパッド１から決済処理情報及び表示用情報を受信すると、受信した決済処理情報を決済サーバ３に送信する。決済サーバ３は、受信した決済処理情報を記録する。その後、ステップＳ１０７の処理に進む。
（ステップＳ１０７）携帯端末２は、受信した表示用情報を表示する。
【００２７】
（ステップＳ１０８）ピンパッド１は、決済処理情報に基づいて伝票用情報を生成し、生成した伝票用情報を携帯端末２に送信する。
（ステップＳ１０９）携帯端末２は、ピンパッド１から伝票用情報を受信すると、受信した伝票用情報に基づいて印字情報を生成する。その後、ステップＳ１１０の処理に進む。
【００２８】
（ステップＳ１１０）携帯端末２は、生成した印字情報をピンパッド１に送信する。
（ステップＳ１１１）ピンパッド１は、携帯端末２から印字情報を受信すると、受信した印字情報の送信元の携帯端末２が、ステップＳ１０８において送信した伝票用情報の送信先である場合に、受信した印字情報に基づいて伝票を印字して出力する。
【００２９】
上述したとおり、本実施形態では、ピンパッド１が、表示部１０３と、携帯端末２と無線通信する無線通信部１０６と、カードから当該カードに関するカード情報を読み取るカードリーダ１０５と、無線通信部１０６を介して、携帯端末２から金額に関する金額情報を受信し、受信した金額情報を表示部１０３に表示するとともに、受信した金額情報とカードリーダ１０５が読み取ったカード情報とに基づいて決済処理を行い、決済処理に関する決済処理情報と携帯端末２に表示するための表示用情報とを生成し、生成した決済処理情報を暗号化し、生成した表示用情報と暗号化した決済処理情報とを無線通信部１０６から携帯端末２に送信する決済処理部１０１と、を備える。また、携帯端末２は、表示部２０６と、ピンパッド１と無線通信するピンパッド用無線通信部２０３と、決済処理情報を管理する決済サーバ３と無線通信する決済サーバ用無線通信部２０４と、金額の入力を受け付ける入力部２０２と、入力部２０２が受け付けた金額を示す金額情報をピンパッド用無線通信部２０３からピンパッド１に送信し、ピンパッド用無線通信部２０３を介して、ピンパッド１から決済処理情報と表示用情報とを受信し、受信した決済処理情報を決済サーバ用無線通信部２０４から決済サーバ３に送信し、受信した表示用情報を表示部２０６に表示する制御部２０１と、を備える。
【００３０】
これにより、決済処理システムＳ１では、ピンパッド１で決済処理を行うため、決済サーバ３及び携帯端末２の処理の負荷を低減することができる。よって、決済処理システムＳ１における決済処理や伝票を印字する処理の速度を向上することができる。また、ピンパッド１は、決済サーバ３に送信する決済処理情報とは別に、携帯端末２に表示するための表示用情報を生成して携帯端末２に送信しているため、表示用情報を暗号化する必要がない。よって、携帯端末２は復号化の機能を備える必要がないため、携帯端末２の構成が複雑化することを防ぐことができる。また、ピンパッド１は決済処理情報を暗号化しているため、ピンパッド１が携帯端末２を介して決済サーバ３に決済処理情報を送信する場合であっても、安全性を向上させることができる。よって、本実施形態による決済処理システムＳ１によれば、携帯端末２の構成を複雑化することなく、決済サーバ３における処理の負荷を低減することができる。
【００３１】
また、ピンパッド１は、印字情報の送信元の携帯端末２が、伝票用情報の送信先の携帯端末２である場合にのみ、携帯端末２から受信した印字情報に基づいて伝票を出力する。これにより、ピンパッド１が実行した決済処理の結果を伝票に印字することができる。すなわち、例えば、他の携帯端末２が伝票に印字する金額を改ざんする等の不正を防止することができる。
【００３２】
［第２の実施形態］ 
次に、本発明の第２の実施形態について説明する。本実施形態における決済処理システムＳ１の構成は、第１の実施形態と同様である。本実施形態では、ピンパッド１が、携帯端末２を介して、ＩＣカードの認証を決済サーバ３に要求する点が、第１の実施形態と異なる。
【００３３】
本実施形態におけるピンパッド１の決済処理部１０１（判定部、認証用情報生成部、認証用情報送信部、認証結果受信部）は、決済サーバ３による決済処理のための認証を行うか否かを判定する。そして、決済処理部１０１は。認証を行うと判定した場合には、認証に必要な認証用情報を生成する。続いて、決済処理部１０１は、生成した認証用情報を携帯端末２に無線通信部１０６から送信する。また、決済処理部１０１は、無線通信部１０６を介して、携帯端末２から認証結果（決済処理可能（ＯＫ）または決済処理不可（ＮＧ））を受信する。そして、決済処理部１０１は、受信した認証結果に基づいて、決済処理を行う。また、ＩＣカードは履歴情報を保有しているため、決済処理部１０１は、決済処理後、ＩＣカードに記録されている履歴情報を書き換える。一方、決済処理部１０１は、受信した認証結果が決済処理不可（ＮＧ）であることを示す場合には、決済処理不可（ＮＧ）の認証結果を携帯端末２に送信するとともに、決済処理不可（ＮＧ）を示すエラーを表示部１０３に表示する。また、決済処理部１０１は、認証を行わないと判定した場合には、決済処理不可（ＮＧ）の認証結果を携帯端末２に送信するとともに、決済処理不可（ＮＧ）を示すエラーを表示部１０３に表示する。本実施形態におけるピンパッド１の他の構成は、第１の実施形態と同様であるため、その説明を省略する。
【００３４】
本実施形態における携帯端末２の制御部２０１（認証用情報受信部、認証用情報送信部、認証結果受信部、認証結果送信部）は、ピンパッド用無線通信部２０３を介して、ピンパッド１から認証用情報を受信する。続いて、制御部２０１は、受信した認証用情報を決済サーバ用無線通信部２０４から決済サーバ３に送信する。また、制御部２０１は、決済サーバ用無線通信部２０４を介して、決済サーバ３から認証結果を受信する。続いて、制御部２０１は、受信した認証結果をピンパッド用無線通信部２０３からピンパッド１に送信する。また、制御部２０１は、ピンパッド用無線通信部２０３を介して、ピンパッド１から決済処理不可（ＮＧ）の認証結果を受信すると、決済処理不可（ＮＧ）を示すエラーを表示部２０６に表示する。本実施形態における携帯端末２の他の構成は、第１の実施形態と同様であるため、その説明を省略する。
【００３５】
次に、本実施形態による決済処理システムＳ１における動作を説明する。図３は、本実施形態における決済処理システムＳ１の動作を示すシーケンス図である。
【００３６】
（ステップＳ２０１）携帯端末２が、金額の入力を受け付ける。また、携帯端末２は、入力された金額を表示する。その後、ステップＳ２０２の処理に進む。
（ステップＳ２０２）携帯端末２は、入力された金額を含む決済処理要求（金額情報）をピンパッド１に送信する。
【００３７】
（ステップＳ２０３）ピンパッド１は、携帯端末２から決済処理要求を受信すると、受信した決済処理要求に含まれる金額を表示する。その後、ステップＳ２０４の処理に進む。
（ステップＳ２０４）ピンパッド１は、カードリーダ１０５によりＩＣカードからカード情報を読み取る。そして、ＩＣカードおよびピンパッド１は、カード情報に含まれる有効情報等に基づいて、使用可能なカードである否かを判定する。または、ＩＣカードおよびピンパッド１は、使用可能であるか否かの判定のために決済サーバにおいてＩＣカードの認証が必要であるか否かを判定する。決済サーバにおいて認証が必要であるとピンパッド１が判定した場合には、ステップＳ２０５の処理に進む。また、使用可能なカードと判定されず、決済サーバに対しても認証が必要でないとピンパッド１が判定した場合には、ピンパッド１はエラーを表示して処理を終了する。
【００３８】
（ステップＳ２０５）ピンパッド１は、認証に必要な認証用情報を生成し、ＩＣカードの認証を求める認証要求とともに生成した認証用情報を携帯端末２に送信する。
（ステップＳ２０６）携帯端末２は、ピンパッド１から認証要求及び認証用情報を受信すると、受信した認証要求及び認証用情報を決済サーバ３に送信する。
【００３９】
（ステップＳ２０７）決済サーバ３は、携帯端末２から認証要求及び認証用情報を受信すると、受信した認証用情報に基づいて決済処理可能か否かの認証を行い、その認証結果を携帯端末２に返信する。
（ステップＳ２０８）携帯端末２は、決済サーバ３から認証結果を受信すると、受信した認証結果をピンパッド１に送信する。
【００４０】
（ステップＳ２０９）ピンパッド１は、携帯端末２から認証結果を受信すると、受信した認証結果に基づき、決済処理を実行する。その後、ステップＳ２１０の処理に進む。一方、ピンパッド１は、受信した認証結果が決済処理不可（ＮＧ）である場合には、エラーを表示して処理を終了する。
【００４１】
ステップＳ２１０からステップＳ２１６までの処理は、上述したステップＳ１０５からＳ１１１までの処理と同様であるため、その説明を省略する。
【００４２】
上述したとおり、本実施形態では、第１の実施形態における構成に加えて、ピンパッド１の決済処理部１０１およびＩＣカードが、決済サーバ３による決済処理のための認証を行うか否かを判定し、認証を行うと判定した場合に、認証に必要な認証用情報を生成し、生成した認証用情報を携帯端末２に無線通信部１０６から送信し、無線通信部１０６を介して、携帯端末２から認証結果を受信し、受信した認証結果に基づいて、決済処理を行う。また、携帯端末２の制御部２０１は、ピンパッド用無線通信部２０３を介して、ピンパッド１から認証用情報を受信し、受信した認証用情報を決済サーバ用無線通信部２０４から決済サーバ３に送信し、決済サーバ用無線通信部２０４を介して、決済サーバ３から認証結果を受信し、受信した認証結果をピンパッド用無線通信部２０３からピンパッド１に送信する。
【００４３】
これにより、本実施形態によれば、第１の実施形態における効果に加えて、認証が必要なＩＣカードを用いる場合であっても、安全に決済処理を行うことができる。
【００４４】
なお、上述した実施形態におけるピンパッド１、携帯端末２または決済サーバ３が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００４５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４６】
以上、本発明の実施形態について説明したが、本発明は、上記実施形態に限定されるものではなく、本発明の趣旨を逸脱しない範囲において種々の変更を加えることが可能である。
【００４７】
例えば、上述した実施形態では、ピンパッド１がＩＣカードからカード情報を読み取る場合について説明したが、これに限らず、ピンパッド１がカード情報を読み取るカードは接触型ＩＣカード、非接触型ＩＣカード、或は、磁気カードであってもよい。
【００４８】
また、上述した第１の実施形態では、ピンパッド１は、図２に示すステップＳ１０８において伝票用情報を送信しているが、伝票用情報を送信するタイミングはこれに限らず、例えば、ステップＳ１０５において決済処理情報及び表示用情報を送信するタイミングに伝票用情報を送信してもよい。同様に、第２の実施形態では、ピンパッド１は、図３に示すステップＳ２１３において伝票用情報を送信しているが、ステップＳ２１０において決済処理情報及び表示用情報を送信するタイミングに伝票用情報を送信してもよい。
【符号の説明】
【００４９】
Ｓ１・・・決済処理システム、１・・・ピンパッド、２・・・携帯端末、３・・・決済サーバ、１０１・・・決済処理部、１０２・・・プリンタ、１０３・・・表示部、１０４・・・キーボード、１０５・・・カードリーダ、１０６・・・無線通信部、２０１・・・制御部、２０２・・・入力部、２０３・・・ピンパッド用無線通信部、２０４・・・決済サーバ用無線通信部、２０５・・・記憶部、２０６・・・表示部
【図１】
0006705682.tif 000002
【図２】
0006705682.tif 000003
【図３】
0006705682.tif 000004